(57)【要約】【課題】録画再生装置において、外部記録媒体である光ディスクに無駄な空き容量が発生しないようにする。【解決手段】録画再生装置は、あるシリーズのテレビジョン番組を一括して光ディスクにダビングした後に、自動的に、その光ディスクの残容量領域に、他のシリーズのテレビジョン番組をダビングする。このとき、他のシリーズのテレビジョン番組として、「光ディスクの残容量＜シリーズの全番組の容量である（シリーズの全番組の容量が光ディスクの残容量よりも大きい）」他のシリーズの番組が録画されていれば、光ディスクの残容量領域に、「光ディスクの残容量＜シリーズの全番組の容量である」他のシリーズの全番組の一部をダビングし（＃６）、別の光ディスクに、「光ディスクの残容量＜シリーズの全番組の容量である」他のシリーズの全番組の残り（＃６の処理においてダビングしなかった残りの番組）をダビングする（＃９）。【選択図】図３
2011114604.tif 000002
【特許請求の範囲】
【請求項１】
テレビジョン放送局から放送されるテレビジョン番組を録画し、録画したテレビジョン番組を再生する録画再生装置において、
テレビジョン放送局から放送されているテレビジョン番組を本装置に内蔵の内部記録媒体に録画する番組録画手段と、
前記内部記録媒体に録画されているテレビジョン番組を本装置に装着／取外しされる外部記録媒体である光ディスクにダビングする番組ダビング手段とを備え、
前記番組ダビング手段は、
前記内部記録媒体に録画されているテレビジョン番組を光ディスクにダビングした後に、その光ディスクに残容量があると、自動的に、その光ディスクの残容量領域に、前記内部記録媒体に録画されている他のテレビジョン番組をダビングする自動追加ダビング手段を有する、
ことを特徴とする録画再生装置。
【請求項２】
前記内部記録媒体に他のシリーズのテレビジョン番組が録画されているか否かを判定するシリーズ判定手段をさらに備え、
前記自動追加ダビング手段は、
前記内部記録媒体に録画されているあるシリーズのテレビジョン番組を一括して光ディスクにダビングした後に、その光ディスクに残容量があり、かつ、前記シリーズ判定手段により他のシリーズのテレビジョン番組が録画されていると判定された場合に、自動的に、その光ディスクの残容量領域に、前記内部記録媒体に録画されている他のシリーズのテレビジョン番組をダビングする、
ことを特徴とする請求項１に記載の録画再生装置。
【発明の詳細な説明】
【技術分野】
【０００１】
本発明は、テレビジョン放送局から放送されるテレビジョン番組を録画し、録画したテレビジョン番組を再生する録画再生装置に関するものである。
【背景技術】
【０００２】
従来から、テレビジョン番組を録画し、録画したテレビジョン番組を再生する録画再生装置がある。このような録画再生装置は、テレビジョン番組を、録画再生装置に内蔵されている例えばハードディスクなどの内部記録媒体に録画するようになっている。また、このような録画再生装置において、内部記録媒体に録画したテレビジョン番組を、録画再生装置に装着／取外しされる外部記録媒体である光ディスクにダビングすることができるものがある。テレビジョン番組のダビングは、ユーザがメニュー操作（リモコンを用いて、メニュー画面を表示させ、メニュー画面上で番組やシリーズを選択し、ダビングの実行を指示する操作）をすることにより行われるようになっている。
【０００３】
一方、各ハードディスク装置の空き容量と、ハードディスク装置に格納すべき画像ファイルのサイズとを検出し、これら各ハードディスク装置の空き容量と画像ファイルのサイズに基いて、最適格納条件に合致するハードディスク装置を選択して表示するようにした画像処理装置が知られている（例えば特許文献１参照）。また、ユーザがリモコンを操作してダビングすべき番組の放送曜日と時間帯を指定すると、指定された放送曜日と時間帯に該当する番組を放送日の古い順にダビングするようにした録画再生装置が知られている（例えば特許文献２参照）。また、予約録画を終了したときに、ダビング先が指定されていて、ダビング先の空き容量が予約録画した番組の容量より大きければ、予約録画した番組をそのダビング先にダビングするようにした録画再生装置が知られている（例えば特許文献３参照）。また、ダビング先記録メディアの空き容量を示す空き容量タイムバーと、ダビング対象タイトルのサイズを示すダビング対象タイトルタイムバーを、画面に表示するようにした録画再生装置が知られている（例えば特許文献４参照）。
【先行技術文献】
【特許文献】
【０００４】
【特許文献１】特開平７−４４４２９号公報
【特許文献２】特開２００６−１３４４８１号公報
【特許文献３】特開２００７−１２１４８号公報
【特許文献４】特開２００９−１５８０６６号公報
【発明の概要】
【発明が解決しようとする課題】
【０００５】
ところで、上述した従来の録画再生装置においては、内部記録媒体に録画したテレビジョン番組を光ディスクにダビングしたときに、光ディスクに残容量が生じることがあり、この光ディスクの残容量を使用せずに放置しておくと、光ディスクに無駄な空き容量が発生してしまう。そこで、テレビジョン番組を光ディスクにダビングしたときに、その光ディスクの残容量領域に他のテレビジョン番組をさらにダビングすることが考えられる。しかしながら、従来の録画再生装置においては、光ディスクの残容量領域に他の番組をさらにダビングするために、ユーザがメニュー操作を行う必要があり、ユーザにとって不便であった。なお、上述した特許文献１乃至特許文献４に開示の内容を適用したとしても、上記の問題を解決することはできない。
【０００６】
本発明は、上記課題を解決するためになされたものであり、外部記録媒体である光ディスクに無駄な空き容量が発生しないようにすることができる録画再生装置を提供することを目的とする。
【課題を解決するための手段】
【０００７】
上記目的を達成するために請求項１の発明は、テレビジョン放送局から放送されるテレビジョン番組を録画し、録画したテレビジョン番組を再生する録画再生装置において、テレビジョン放送局から放送されているテレビジョン番組を本装置に内蔵の内部記録媒体に録画する番組録画手段と、内部記録媒体に録画されているテレビジョン番組を本装置に装着／取外しされる外部記録媒体である光ディスクにダビングする番組ダビング手段とを備え、番組ダビング手段は、内部記録媒体に録画されているテレビジョン番組を光ディスクにダビングした後に、その光ディスクに残容量があると、自動的に、その光ディスクの残容量領域に、内部記録媒体に録画されている他のテレビジョン番組をダビングする自動追加ダビング手段を有するものである。
【０００８】
請求項２の発明は、請求項１に記載の録画再生装置において、内部記録媒体に他のシリーズのテレビジョン番組が録画されているか否かを判定するシリーズ判定手段をさらに備え、自動追加ダビング手段は、内部記録媒体に録画されているあるシリーズのテレビジョン番組を一括して光ディスクにダビングした後に、その光ディスクに残容量があり、かつ、シリーズ判定手段により他のシリーズのテレビジョン番組が録画されていると判定された場合に、自動的に、その光ディスクの残容量領域に、内部記録媒体に録画されている他のシリーズのテレビジョン番組をダビングするものである。
【発明の効果】
【０００９】
請求項１の発明によれば、テレビジョン番組を光ディスクにダビングした後、自動的に、その光ディスクの残容量領域に、他のテレビジョン番組がさらにダビングされる。従って、光ディスクに無駄な空き容量が発生しないようにすることができる。これにより、より少ない光ディスク数でより多くのテレビジョン番組をダビングすることができる。しかも、ユーザが操作することなく、光ディスクの残容量領域に他のテレビジョン番組をダビングすることができるため、ユーザにとって便利である。
【００１０】
請求項２の発明によれば、あるシリーズのテレビジョン番組を一括して光ディスクにダビングした後、自動的に、その光ディスクの残容量領域に、他のシリーズのテレビジョン番組がさらにダビングされる。従って、光ディスクに無駄な空き容量が発生しないようにすることができる。これにより、より少ない光ディスク数でより多くのテレビジョン番組をダビングすることができる。
【図面の簡単な説明】
【００１１】
【図１】本発明の一実施形態に係る録画再生装置の概略構成を示す電気的ブロック構成図。
【図２】同録画再生装置の自動追加ダビング動作を示すフローチャート。
【図３】同録画再生装置の自動追加ダビング動作を示すフローチャート。
【図４】同録画再生装置の自動追加ダビング動作を示すフローチャート。
【発明を実施するための形態】
【００１２】
以下、本発明を具体化した実施形態による録画再生装置について図面を参照して説明する。図１は、本実施形態による録画再生装置の構成を示す。録画再生装置１は、テレビジョン放送局から放送されるテレビジョン番組を録画、録音し、録画、録音したテレビジョン番組を再生する装置である。録画再生装置１は、外部表示装置９０を接続して使用するようになっており、録画、録音したテレビジョン番組を、外部表示装置９０によって表示するようになっている。
【００１３】
この録画再生装置１は、ユーザによる操作を受けて、録画、録音したテレビジョン番組を外部記録媒体である光ディスク５０にダビング（コピー）することができるようになっている。また、この録画再生装置１は、テレビジョン番組を光ディスク５０にダビングした後に、自動的に、その光ディスク５０の残容量領域に、他のテレビジョン番組をダビングする機能（自動追加ダビング機能）を備えている。
【００１４】
録画再生装置１は、チューナ２と、エンコーダ３と、ＨＤＤ装置４と、光ディスクドライブ装置５と、デコーダ６と、ＯＳＤ処理部７と、リモコン８と、リモコン受信部９と、録画再生装置１の動作を制御する制御部（番組ダビング手段、自動追加ダビング手段、判定手段）１０等を備える。
【００１５】
チューナ２は、制御部１０による制御のもと、受信周波数がテレビジョン信号の放送チャンネルに対応する周波数に設定されることにより、その放送チャンネル（その周波数）のテレビジョン信号を受信する。テレビジョン信号には、映像信号（テレビジョン番組の映像信号）、音声信号（テレビジョン番組の音声信号）、情報信号（テレビジョン番組に関する情報を表わす信号）等が含まれている。テレビジョン番組に関する情報には、テレビジョン番組が複数回に亘って放送されるシリーズの番組であるか否かの情報、テレビジョン番組がシリーズの番組である場合に、第何回目の番組であるかの情報、シリーズを識別する情報、テレビジョン番組の放送日時等の各種情報が含まれている。
【００１６】
エンコーダ３は、チューナ２により受信したテレビジョン信号から、映像信号、音声信号、及び情報信号を分離、抽出し、それら分離、抽出した映像信号、音声信号、情報信号をエンコード処理して、映像データ、音声データ、情報データを生成する。
【００１７】
ＨＤＤ装置４は、内部記録媒体であるハードディスク４０を内蔵しており、制御部１０による制御のもと、エンコーダ３により生成された映像データ、音声データ、情報データ等を含む各種データをハードディスク４０に記録する。また、ＨＤＤ装置４は、制御部１０による制御のもと、ハードディスク４０に記録されている映像データ、音声データ、情報データ等を含む各種データを読出す。
【００１８】
光ディスクドライブ装置５は、外部記録媒体であるＤＶＤ、ＢＤ（ブルーレイディスク）等の光ディスク５０が装着／取外しされるようになっており、制御部１０による制御のもと、ＨＤＤ装置４によりハードディスク４０から読出された映像データ、音声データ、情報データ等を含む各種データを光ディスク５０に記録する。また、光ディスクドライブ装置５は、制御部１０による制御のもと、光ディスク５０に記録されている映像データ、音声データ、情報データ等を含む各種データを読出す。
【００１９】
デコーダ６は、制御部１０による制御のもと、エンコーダ３により生成された映像データ及び音声データ、ＨＤＤ装置４によりハードディスク４０から読出された映像データ及び音声データ、及び光ディスクドライブ装置５により光ディスク５０から読出された映像データ及び音声データをデコード処理して、映像信号及び音声信号を生成し、その映像信号及び音声信号を出力する。
【００２０】
ＯＳＤ処理部７は、制御部１０による制御のもと、メニュー画面等の各種映像をＯＳＤ表示するために、デコーダ６から出力された映像信号を加工処理し、その加工処理後の映像信号を出力する。また、ＯＳＤ処理部７は、制御部１０による制御のもと、デコーダ６から出力された映像信号を加工処理しないときには、デコーダ６により生成された映像信号をそのまま出力する。デコーダ６から出力された音声信号、及びＯＳＤ処理部７から出力された映像信号は、外部表示装置９０に供給される。
【００２１】
リモコン８は、テレビジョン信号の放送チャンネルの選択、テレビジョン番組の録画、録画した番組の再生、録画した番組のダビング等、録画再生装置１の各種動作を指示するためにユーザにより操作され、その操作内容を示す操作信号を送信する。リモコン受信部９は、リモコン８から送信された操作信号を受信して、リモコン８の操作内容を示すリモコン受信信号を出力する。
【００２２】
制御部１０は、リモコン受信部９から出力されるリモコン受信信号に基いて、ユーザによるリモコン８の操作内容を判断し、ユーザによるリモコン８の操作を受けて、録画再生装置１の各種動作を制御する。制御部１０は、録画再生装置１の動作を制御するためのプログラムや各種データを記憶しており、それらプログラムや各種データに基いて、録画再生装置１の各種動作を制御する。制御部１０は、録画再生装置１の各種動作として、番組録画動作、番組ダビング動作、番組再生動作、ＯＳＤ表示動作等の動作を制御する。
【００２３】
番組録画動作とは、テレビジョン放送局から放送されているテレビジョン番組をハードディスク４０に録画、録音する動作である。制御部１０は、テレビジョン放送局から放送されるテレビジョン信号をチューナ２により受信させ、エンコーダ３により生成された映像データ及び音声データをＨＤＤ装置４によりハードディスク４０に記録させることにより、番組録画動作を行う。これにより、テレビジョン放送局から放送されているテレビジョン番組の映像データ及び音声データがハードディスク４０に記録され、テレビジョン放送局から放送されているテレビジョン番組がハードディスク４０に録画、録音される。このとき、制御部１０は、ハードディスク４０に録画、録音した番組を管理するために、エンコーダ３により生成された情報データ及び録画、録音した番組の容量を示す容量データをＨＤＤ装置４によりハードディスク４０に記録させる。
【００２４】
番組ダビング動作とは、ハードディスク４０に録画、録音されているテレビジョン番組を光ディスク５０にダビング（コピーにより録画、録音）する動作である。制御部１０は、ハードディスク４０に録画、録音されているテレビジョン番組の映像データ及び音声データ（番組録画動作で記録された映像データ及び音声データ）をＨＤＤ装置４により読出させ、その読出された映像データ及び音声データを光ディスクドライブ装置５により光ディスク５０に記録させることにより、番組ダビング動作を行う。これにより、ハードディスク４０に録画、録音されているテレビジョン番組の映像データ及び音声データが光ディスク５０に記録され、ハードディスク４０に録画、録音されているテレビジョン番組が光ディスク５０にダビングされる。このとき、制御部１０は、光ディスク５０にダビングした番組を管理するために、ダビングした番組の情報データ及びダビングした番組の容量を示す容量データを光ディスクドライブ装置５により光ディスク５０に記録させる。
【００２５】
番組再生動作とは、ハードディスク４０又は光ディスク５０に録画、録音されているテレビジョン番組を外部表示装置９０によって視聴可能に再生する動作である。制御部１０は、ハードディスク４０に記録されている映像データ及び音声データ（番組録画動作で記録された映像データ及び音声データ）をＨＤＤ装置４により読出させ、又は、光ディスク５０に記録されている映像データ及び音声データ（番組ダビング動作で記録された映像データ及び音声データ）を光ディスクドライブ装置５により読出させ、その読出された映像データ及び音声データをデコーダ６によりデコード処理させることにより、番組再生動作を行う。これにより、ハードディスク４０又は光ディスク５０に録画、録音されているテレビジョン番組の映像信号及び音声信号が外部表示装置９０に供給され、ハードディスク４０又は光ディスク５０に録画、録音されているテレビジョン番組が外部表示装置９０によって視聴可能に再生される。
【００２６】
ＯＳＤ表示動作とは、メニュー画面等の各種映像を外部表示装置９０によってＯＳＤ表示する動作である。制御部１０は、メニュー画面等の各種映像をＯＳＤ表示するように、デコーダ６から出力された映像信号をＯＳＤ処理部７により加工処理させることにより、メニュー表示動作を行う。これにより、ＯＳＤ処理部７により加工処理された映像信号が外部表示装置９０に供給され、メニュー画面等の各種映像が外部表示装置９０のディスプレイ９１にＯＳＤ表示される。
【００２７】
上記番組ダビング動作には、ユーザの操作による個別ダビング動作、ユーザの操作によるシリーズ一括ダビング動作、自動追加ダビング動作等があり、制御部１０は、上記番組ダビング動作として、これらユーザの操作による個別ダビング動作、ユーザの操作によるシリーズ一括ダビング動作、自動追加ダビング動作等を行う。
【００２８】
ユーザの操作による個別ダビング動作とは、ユーザにより個別に選択された番組（タイトル）をダビングする動作である。ユーザの操作によるシリーズ一括ダビング動作とは、ユーザにより選択されたシリーズの全ての番組を一括してダビングする動作である。ユーザの操作による個別ダビング動作、及びユーザの操作によるシリーズ一括ダビング動作は、ユーザがメニュー操作（リモコン８を用いて、メニュー画面を表示させ、メニュー画面上で番組やシリーズを選択し、ダビングの実行を指示する操作）をすることにより行われる。すなわち、制御部１０は、ユーザによるリモコン８の操作（メニュー操作）を受けて、ユーザの操作による個別ダビング動作、及びユーザの操作によるシリーズ一括ダビング動作を実行し、ユーザにより個別に選択された番組、及びユーザにより選択されたシリーズの全ての番組を一括してダビングする。
【００２９】
なお、ユーザの操作によるシリーズ一括ダビング動作では、制御部１０は、ユーザにより選択されたシリーズの全番組を１枚の光ディスク５０にダビングしたときには、その光ディスク５０に、そのシリーズの全番組のダビング開始から１枚目の光ディスク５０であることを記録し、また、ユーザにより選択されたシリーズの全番組を複数枚の光ディスク５０に亘ってダビングしたときには、Ｎ枚目（Ｎ＝１、２、・・・）の光ディスク５０に、そのシリーズの全番組のダビング開始からＮ枚目の光ディスク５０であることを記録する。
【００３０】
自動追加ダビング動作とは、光ディスク５０に番組をダビングした後に、その光ディスク５０に残容量があると、自動的に、その光ディスク５０の残容量領域に、他の番組をダビングする動作である。
【００３１】
本実施形態では、自動追加ダビング動作は、あるシリーズの全番組を一括してダビングした後に行い、自動追加ダビング動作において、他のシリーズの全番組を一括してダビングするようになっている。また、自動追加ダビング動作は、自動追加ダビング動作の設定がオンに設定されているときに行われ、自動追加ダビング動作の設定がオフに設定されているときには行われないようになっている。
【００３２】
すなわち、制御部１０は、ハードディスク４０に録画されている番組のうち、あるシリーズの番組を一括して光ディスク５０にダビングした後に、シリーズ自動追加ダビング動作の設定がオンに設定されていて、その光ディスク５０に残容量があり、かつ、ハードディスク４０に他のシリーズのテレビジョン番組が録画されている場合に、自動的に、自動追加ダビング動作を実行する。そして、制御部１０は、自動追加ダビング動作において、その光ディスク５０の残容量領域に、ハードディスク４０に録画されている他のシリーズのテレビジョン番組をダビングする。なお、自動追加ダビング動作のオン／オフの設定は、ユーザがリモコン８を操作することにより行われる。
【００３３】
図２、図３、図４は、上記録画再生装置１の自動追加ダビング動作のフローチャートを示す。ユーザの操作によるシリーズ一括ダビング動作を終えたとき（すなわち、あるシリーズの番組を一括して光ディスク５０にダビングし終えたとき）、シリーズ自動追加ダビング動作の設定がオンに設定されていて（＃１でＹＥＳ）、光ディスク５０に残容量があれば（＃２でＹＥＳ）、制御部１０は、ハードディスク４０に録画されている番組の中から、他のシリーズのテレビジョン番組を検索する（＃３）。但し、＃３の検索では、シリーズの最終回の番組が録画されていないものは除外し、シリーズの最終回の番組が録画されているものを検索する。
【００３４】
そして、ハードディスク４０に他のシリーズの番組が録画されている場合に（＃４でＹＥＳ）、「光ディスク５０の残容量＜シリーズの全番組の容量である（ハードディスク４０に録画されているシリーズの全番組の容量が光ディスク５０の残容量よりも大きい）」他のシリーズの番組が録画されていれば（＃５でＹＥＳ）、制御部１０は、その光ディスク５０の残容量領域に、「光ディスク５０の残容量＜シリーズの全番組の容量である」他のシリーズの全番組の一部をダビングする（＃６）。
【００３５】
但し、「光ディスク５０の残容量＜シリーズの全番組の容量である」他のシリーズの番組として、複数の異なるシリーズの番組が録画されている場合には、制御部１０は、「シリーズの全番組の容量が最も大きい」他のシリーズの番組についてダビングする。
【００３６】
ここで、「シリーズの全番組の容量」とは、ハードディスク４０に録画されているシリーズＳｘの各回（各タイトル）の番組をＳｘ−Ｔ１、Ｓｘ−Ｔ２、Ｓｘ−Ｔ３、・・・とすると、番組Ｓｘ―Ｔ１の容量、番組Ｓｘ―Ｔ２の容量、番組Ｓｘ−Ｔ３の容量、・・・の合計の容量のことである。
【００３７】
すなわち、例えば、「光ディスク５０の残容量＜シリーズの全番組の容量である」他のシリーズの番組として、シリーズＳ１、シリーズＳ２、シリーズＳ３の番組が録画されていて、それらのうち「シリーズの全番組の容量が最も大きい」他のシリーズがシリーズＳ１であったとすると、＃６の処理において、制御部１０は、シリーズＳ１の全番組Ｓ１−Ｔ１、Ｓ１−Ｔ２、Ｓ１−Ｔ３、・・・の一部をダビングする。なお、＃６の処理において、制御部１０は、録画日時（放送日時）の古い回の番組から順に、容量の関係からダビング可能な番組までダビングする。
【００３８】
そして、＃６の処理を行った後、制御部１０は、他のシリーズの番組のダビング開始から何枚目の光ディスク５０であるかを示す変数Ｎの値を「１」に設定し（＃７）、その光ディスク５０に、他のシリーズの全番組のダビング開始からＮ（＝１）枚目の光ディスク５０であることを記録する（＃８）。
【００３９】
続いて、制御部１０は、別の光ディスク５０に、「光ディスク５０の残容量＜シリーズの全番組の容量である」他のシリーズの全番組の残り（＃６の処理においてダビングしなかった残りの番組）をダビングする（＃９）。このとき、光ディスク５０は、ユーザによって取り換えられる。なお、＃９の処理において、制御部１０は、録画日時（放送日時）の古い番組から順に、容量の関係からダビング可能な番組までダビングする。
【００４０】
そして、＃９の処理を行った後、制御部１０は、変数Ｎの値を１つ増加させ（＃１０）、その光ディスク５０に、他のシリーズの全番組のダビング開始からＮ枚目の光ディスク５０であることを記録する（＃１１）。
【００４１】
「光ディスク５０の残容量＜シリーズの全番組の容量である」他のシリーズの全番組の全てのダビングを完了していなければ（＃１２でＮＯ）、制御部１０は、上記＃９以降の処理を繰り返す。そして、「光ディスク５０の残容量＜シリーズの全番組の容量である」他のシリーズの全番組の全てのダビングを完了すると（＃１２でＹＥＳ）、制御部１０は、上記＃２以降の処理を繰り返す。
【００４２】
また、ハードディスク４０に他のシリーズの番組が録画されている場合に（＃４でＹＥＳ）、「光ディスク５０の残容量＜シリーズの全番組の容量である」他のシリーズの番組が録画されていなければ（＃５でＮＯ）、制御部１０は、その光ディスク５０の残容量領域に、「シリーズの全番組の容量が最も大きい」他のシリーズの全番組をダビングする（＃１３）。
【００４３】
すなわち、例えば、「光ディスク５０の残容量＜シリーズの全番組の容量である」他のシリーズの番組が録画されておらず、「光ディスク５０の残容量＜シリーズの全番組の容量でない（光ディスク５０の残容量≧シリーズの全番組の容量である）」他のシリーズの番組として、シリーズＳ１、シリーズＳ２、シリーズＳ３の番組が録画されていて、それらのうち「シリーズの全番組の容量が最も大きい」他のシリーズがシリーズＳ２であったとすると、＃１３の処理において、制御部１０は、シリーズＳ２の全番組Ｓ２−Ｔ１、Ｓ２−Ｔ２、Ｓ２−Ｔ３、・・・をダビングする。なお、＃１３の処理において、制御部１０は、録画日時（放送日時）の古い回の番組から順にダビングする。
【００４４】
そして、＃１３の処理を行った後、制御部１０は、他のシリーズの番組のダビング開始から何枚目の光ディスク５０であるかを示す変数Ｎの値を「１」に設定し（＃１４）、その光ディスク５０に、他のシリーズの全番組のダビング開始からＮ（＝１）枚目の光ディスク５０であることを記録する（＃１５）。＃１５の処理を行った後、制御部１０は、上記＃２以降の処理を繰り返す。
【００４５】
＃２以降の処理の繰り返しにおいて、光ディスク５０に残容量がない場合が生じるか（＃２でＮＯ）、又は、ハードディスク４０に他のシリーズの番組が録画されていない場合が生じると（すなわち、ハードディスク４０に録画されている全てのシリーズの番組を光ディスク５０にダビングすると）（＃４でＮＯ）、制御部１０は、自動追加ダビング動作を終了する。
【００４６】
このような構成の録画再生装置１によれば、あるシリーズのテレビジョン番組を一括して光ディスク５０にダビングした後、自動的に、その光ディスク５０の残容量領域に、他のシリーズのテレビジョン番組がさらにダビングされる。従って、光ディスク５０に無駄な空き容量が発生しないようにすることができる。これにより、より少ない光ディスク５０の枚数でより多くのテレビジョン番組をダビングすることができる。しかも、ユーザが操作することなく、光ディスク５０の残容量領域に他のテレビジョン番組をダビングすることができるため、ユーザにとって便利である。
【００４７】
なお、本発明は、上記実施形態の構成に限られず、種々の変形が可能である。例えば、自動追加ダビング動作は、あるシリーズの番組を一括してダビングした後に限られず、１つの番組をダビングした後に行ってもよく、また、自動追加ダビング動作において、他のシリーズの全番組に限られず、１つの番組をダビングするようにしてもよい。また、自動追加ダビング動作によって番組を自動的にダビングするときに、ユーザに対してメッセージ（光ディスクの残容量領域に他の番組をダビングすることの確認メッセージやダビングする番組の確認メッセージ等）をＯＳＤ表示するようにしてもよい。
【符号の説明】
【００４８】
１    録画再生装置
２    チューナ
３    エンコーダ
４    ＨＤＤ装置
５    光ディスクドライブ装置
６    デコーダ
７    ＯＳＤ処理部
８    リモコン
９    リモコン受信部
１０    制御部（番組ダビング手段、自動追加ダビング手段、判定手段）
４０    ハードディスク
５０    光ディスク
９０    外部表示装置
９１    ディスプレイ
９２    スピーカ
【図１】
2011114604.tif 000003
【図２】
2011114604.tif 000004
【図３】
2011114604.tif 000005
【図４】
2011114604.tif 000006